(57)【要約】【課題】  記録媒体に記録されたコンテンツ情報（映像・音声情報）に関連付けて記録されるタイトル情報を編集可能で、このタイトル情報を編集するときに種々のフォントデータを使用可能な情報記録再生装置を提供する。【解決手段】  外部から入力されるビデオ信号をデジタル化してコンテンツ情報を記録媒体に記録する記録手段と、前記記録媒体に記録されたコンテンツ情報を読出して再生する再生手段と、オンスクリーン表示のための第１のフォントデータが記憶されるフォント用メモリと、前記コンテンツ情報に関連付けて記録されているタイトル情報を編集可能なタイトル情報編集手段と、前記フォント用メモリに第２のフォントデータを追加記録可能なフォントデータ追加手段と、を備えるようにし、前記タイトル情報編集手段は、前記第１及び前記第２のフォントデータを用いてタイトル情報を編集可能とした。【選択図】  図３
2006115225.tif 000002
【特許請求の範囲】
【請求項１】
外部から入力されるビデオ信号をデジタル化してＤＶＤビデオフォーマットでコンテンツ情報を記録媒体に記録する記録手段と、
前記記録媒体に記録されたコンテンツ情報を読出して再生する再生手段と、
オンスクリーン表示のための第１のフォントデータが記憶されるフォント用メモリと、
前記記録媒体に前記コンテンツ情報に関連付けて記録されているタイトル情報を編集可能なタイトル情報編集手段と、
前記フォント用メモリに第２のフォントデータを追加記録可能なフォントデータ追加手段と、を備え、
前記タイトル情報編集手段は、前記第１及び前記第２のフォントデータを用いてタイトル情報を編集可能で、
前記フォントデータ追加手段は、所定のピクセル数で構成されたフォント作成領域を出力装置に表示し、操作手段による操作に基づいて該フォント作成領域において２×２ピクセル以上で構成されるカーソルを所望の位置に移動させて、カーソルに指示された領域を反転させることで第２のフォントデータを作成するフォントデータ作成手段を有することを特徴とする情報記録再生装置。
【請求項２】
外部から入力されるビデオ信号をデジタル化してコンテンツ情報を記録媒体に記録する記録手段と、
前記記録媒体に記録されたコンテンツ情報を読出して再生する再生手段と、
オンスクリーン表示のための第１のフォントデータが記憶されるフォント用メモリと、
前記コンテンツ情報に関連付けて記録されているタイトル情報を編集可能なタイトル情報編集手段と、
前記フォント用メモリに第２のフォントデータを追加記録可能なフォントデータ追加手段と、を備え、
前記タイトル情報編集手段は、前記第１及び前記第２のフォントデータを用いてタイトル情報を編集可能であることを特徴とする情報記録再生装置。
【請求項３】
前記フォントデータ追加手段は、操作手段からの入力信号に基づいて前記第２のフォントデータを作成可能なフォントデータ作成手段を有することを特徴とする請求項２に記載の情報記録再生装置。
【請求項４】
前記フォントデータ作成手段は、所定のピクセル数で構成されたフォント作成領域を出力装置に表示し、操作手段による操作に基づいて該フォント作成領域において所定大きさのカーソルを所望の位置に移動させて、該カーソルで指示された領域を反転させることで第２のフォントデータを作成することを特徴とする請求項３に記載の情報記録再生装置。
【請求項５】
前記フォント作成領域におけるカーソルは２×２ピクセル以上で構成されることを特徴とする請求項４に記載の情報記録再生装置。
【請求項６】
前記記録手段は、ＤＶＤビデオフォーマットでコンテンツ情報を記録可能であることを特徴とする請求項２から５の何れかに記載の情報記録再生装置。
【発明の詳細な説明】
【技術分野】
【０００１】
本発明は、記録媒体に映像・音声情報を含むコンテンツ情報を記録したり、記録媒体に記録されたコンテンツ情報を再生したりする情報記録再生装置に関し、特に、コンテンツ情報に関連付けて記録媒体に記録されたタイトル情報を編集可能な情報記録再生装置に関する。
【背景技術】
【０００２】
従来、映像情報や音声情報を記憶できるメディアとしてＣＤ（Compact Disk）やＬＤ（Laser Disk）等が使用されてきたが、最近ではこれらに比べてはるかに多くの記憶容量を有するＤＶＤ（Digital Versatile Disk）が普及してきている。このＤＶＤは、ＣＤと同じサイズでありながら高画質の映像情報、高音質で多種の音声情報、および字幕情報等の大量の情報を記録することができ、例えば、ＤＶＤ−ＲＡＭ、ＤＶＤ±Ｒ、ＤＶＤ±ＲＷ等の記録型ＤＶＤが提供されている。
【０００３】
そして、テレビ放送信号等を受信して映像情報や音声情報からなるコンテンツ情報をデジタル情報として上記記録型ＤＶＤに記録可能なＤＶＤレコーダの開発が盛んに行われている。このＤＶＤレコーダによってコンテンツ情報を記録されたＤＶＤは、その記録フォーマットに対応したＤＶＤプレイヤーによって再生することができる。例えば、一般のセルビデオなどに使用されているＤＶＤビデオフォーマットを適用してコンテンツ情報を記録すれば、ほとんどのＤＶＤプレイヤーで再生することができる。
【０００４】
また、ＤＶＤレコーダは、ＴＶ番組等のコンテンツ情報を記録型ＤＶＤに記録する際、そのコンテンツ情報に関連付けて録画日時やチャンネル、タイトル、録画時間等の番組に関する情報を記録することができる。そして、コンテンツ情報を記録したＤＶＤを再生するとき等に、視聴者はメニュー画面等で前記番組に関する情報（例えば、タイトル等）を参照することで、当該ＤＶＤに記録されている内容を確認することができる。
【０００５】
ここで、一般的なＤＶＤレコーダにおいては、コンテンツ情報の録画時に自動的にタイトルが記録されるが、このタイトルは視聴者が任意に編集可能となっている。例えば、ＴＶモニタ等の画面にフォントデータの一覧表（英数字・記号、平仮名、片仮名等）を表示させ、ＤＶＤレコーダのリモコン装置に配置された上下左右方向のカーソルキーを用いて所望の文字を選択し入力することでタイトルを編集する。このとき、平仮名、片仮名で入力された文字は、漢字変換することもできる。
【０００６】
また、上述したフォントデータはタイトルの編集に利用されるだけでなく、ＤＶＤのメニュー画面や字幕等のように文字をオンスクリーン表示する際にも利用される。一般には、それぞれのＤＶＤレコーダのフォント用メモリに予め格納されているフォントデータが用いられるが、オンスクリーン表示するための文字フォントの変更を可能にし、メニュー表示における言語の変更にも対応することができるようにした光ディスク再生装置も提案されている（例えば特許文献１）。かかる技術によれば、フォントデータが格納されている光ディスクからユーザが所望のフォントデータを選択し、光ディスク再生装置のフォント用メモリに予め格納されたフォントデータを書き換えることができるので、予め複数の言語に対応したフォントデータをフォント用メモリに格納しておくことなく、ユーザの望む言語でのオンスクリーン表示が可能となる。
【特許文献１】特開２００１−３５７６６５号公報
【発明の開示】
【発明が解決しようとする課題】
【０００７】
ところで、通常、タイトルの入力に利用されるフォントデータは、英数字、片仮名、平仮名、漢字についてはほとんど網羅されているが、フォント用メモリの容量が無駄に大きくならないように記号については利用頻度が高いと考えられるもの（例えば！、？等）に制限されている。このため、タイトルの表示形態は自ずと乏しくなり、ユーザによるタイトル作成の自由度が制限されている。
【０００８】
また、上記先願技術においては、所望の言語のフォントデータが記録されている光ディスクを提供されるだけであり、特別なフォントデータが提供されるわけではないので、ユーザによるタイトル作成の自由度が向上するわけではない。
【０００９】
本発明は、記録媒体に記録されたコンテンツ情報に関連付けて記録されるタイトルを編集可能で、このタイトルを編集するときに種々のフォントデータを使用可能な情報記録再生装置を提供することを目的とする。
【課題を解決するための手段】
【００１０】
本発明は、上記課題を解決するためになされたものであり、外部から入力されるビデオ信号をデジタル化してコンテンツ情報を記録媒体に記録する記録手段と、前記記録媒体に記録されたコンテンツ情報を読出して再生する再生手段と、オンスクリーン表示のための第１のフォントデータが記憶されるフォント用メモリと、前記コンテンツ情報に関連付けて記録されているタイトル情報を編集可能なタイトル情報編集手段と、前記フォント用メモリに第２のフォントデータを追加記録可能なフォントデータ追加手段と、を備えるようにし、前記タイトル情報編集手段は、前記第１及び前記第２のフォントデータを用いてタイトル情報を編集可能としたものである。すなわち、予め情報記録再生装置のフォント用メモリに記録されている第１のフォントデータの他に、新たに追加される第２のフォントデータをタイトル情報の編集に使用できるようにした。第２のフォントデータは、後述するように、ＴＶモニタ等の画面上でユーザにより作成されるようにしてもよいし、複数種類の特別なフォントデータを記録した記録媒体（例えば光ディスク）から所望の文字に対応するフォントデータを読み出してフォント用メモリに記録するようにしてもよい。
【００１１】
また、前記フォントデータ追加手段は、操作手段からの入力信号に基づいて前記第２のフォントデータを作成可能なフォントデータ作成手段を有するようにした。これにより、ユーザが独自に作成したフォントデータをタイトル情報の編集に利用することができる。
【００１２】
具体的には、前記フォントデータ作成手段は、所定のピクセル数で構成されたフォント作成領域を出力装置に表示し、操作手段による操作に基づいて該フォント作成領域において所定大きさのカーソルを所望の位置に移動させて、該カーソルで指示された領域を反転させることで第２のフォントデータを作成するようにした。これにより、ユーザは簡単な方法で、自由にフォントデータを作成することができる。
【００１３】
また、前記フォント作成領域におけるカーソルは２×２ピクセル以上で構成されるようにした。これにより、１×１ピクセルのドットが単独で反転されるのを防止できる。つまり、インターレース方式のＴＶモニタにおいてちらつき等の不具合が生じないように、２×２ピクセルをドットを反転（黒塗り）するときの最小単位としている。
【００１４】
さらに、前記記録手段は、ＤＶＤビデオフォーマットでコンテンツ情報及びタイトル情報を記録可能であるのが望ましい。通常、ＤＶＤレコーダにおいては、該ＤＶＤレコーダによりコンテンツ情報が記録された光ディスクを他のＤＶＤプレイヤーでも再生可能とするためにファイナライズが行われる。このとき、コンテンツ情報がＤＶＤビデオフォーマットで記録される場合は、ファイナライズによりタイトル情報は文字コード（例えばアスキーコード）ではなく画像データ（ビットマップデータ）として記録されるため、新規に作成したフォント（第２のフォントデータ）を使用してタイトル情報を編集した場合でも、他のＤＶＤプレイヤーにおいてタイトルが表示されなくなるということはない。
【発明の効果】
【００１５】
本発明によれば、外部から入力されるビデオ信号をデジタル化してコンテンツ情報を記録媒体に記録する記録手段と、前記記録媒体に記録されたコンテンツ情報を読出して再生する再生手段と、オンスクリーン表示のための第１のフォントデータが記憶されるフォント用メモリと、前記コンテンツ情報に関連付けて記録されているタイトル情報を編集可能なタイトル情報編集手段と、前記フォント用メモリに第２のフォントデータを追加記録可能なフォントデータ追加手段と、を備え、前記タイトル情報編集手段は、前記第１及び前記第２のフォントデータを用いてタイトル情報を編集可能としたので、ユーザは自ら作成・追加したフォントデータを使用してタイトル情報を編集することができる。
【００１６】
したがって、タイトル情報の表示形態が豊富になる上、編集されたタイトル情報はユーザ独自のものとなるので、タイトル編集に対する興趣を向上させることができ、タイトル情報の編集機能が一層有効に利用されるようになる。
【発明を実施するための最良の形態】
【００１７】
以下、本発明の好適な実施の形態を図面に基づいて説明する。
【００１８】
図１は、本発明に係る情報録画再生装置の適例としてのＤＶＤ（DigitalVersatile Disc）レコーダのブロック図である。図１において、破線で囲んだブロックがＤＶＤレコーダ１００である。
【００１９】
本実施形態のＤＶＤレコーダ１００は、装置全体の制御を行う主制御部１１と、主に映像・音声情報を含むコンテンツ情報のデータ処理を行う副制御部１６と、アンテナ３１より入力された複数の放送局のテレビ放送信号から所望のチャンネルのテレビ放送信号を取り出しビデオ信号（映像信号及び音声信号）として出力するチューナ１２と、チューナ１２で取り出されたビデオ信号或いは外部入力端子を介して他のＡＶ装置から入力されたビデオ信号をデジタル信号に変換するＡ／Ｄ変換器１３と、Ａ／Ｄ変換器１３から入力されたデジタル信号を符号化してデジタルデータを生成する圧縮処理部１４と、圧縮処理部１４により符号化されたデジタルデータをコンテンツ情報としてＤＶＤ−Ｒ等の記録型ＤＶＤに記録するＤＶＤドライブ２３と、ＤＶＤ−Ｒに記録されたデジタルデータを読出して複合化して元のデジタル信号を生成する伸張処理部１５と、復号化されたデジタル信号をアナログビデオ信号に変換しＴＶモニタ等の外部機器に出力するＤ／Ａ変換器１８と、前面パネル（図示せず）に設けられチャンネル設定などを行う各種の操作スイッチ１９と、チャンネル設定などを行うリモコン装置２１からの入力信号（例えば赤外光）を受光して電気信号に変換するリモコン受光部２０と、液晶ディスプレイやＬＥＤランプ等で構成されリモコン装置２１又は操作スイッチ１９からの操作内容等を表示する表示部２２と、オンスクリーン表示するためのフォントデータを格納されたフォント用メモリ（例えばフラッシュメモリ等の書き換え可能な不揮発性メモリ）１７と、で構成される。
【００２０】
また、主制御部１１は、各部の制御および所定の演算を行いＤＶＤレコーダ１００の動作を制御するＣＰＵ１１１と、ＣＰＵ１１１の作業用メモリとして用いられるＲＡＭ１１２と、ＣＰＵ１１１で実行される制御用プログラム等が記録されたＲＯＭ１１３と、で構成される。
【００２１】
上述したＤＶＤレコーダ１００において、番組を録画する場合は、ユーザによる録画操作に基づいて、操作スイッチ１９或いはリモコン受光部２０から録画指令が主制御部１１に送信されたときに、主制御部１１が録画処理のための制御手順を実行する。これにより、外部から入力されたテレビ放送信号はデジタル化され番組のコンテンツ情報がＤＶＤ−Ｒに記録される。このとき、映像・音声情報からなるコンテンツ情報とともに、その番組の録画日時やチャンネル、録画時間、タイトル等の番組に関する情報が自動的に記録される。
【００２２】
一方、ＤＶＤ−Ｒに録画されたコンテンツ情報を再生する場合は、主制御部１１がＤＶＤ−Ｒに記録されているコンテンツ情報に関する情報（例えばタイトル情報）の一覧をＴＶモニタの画面にリスト形式で表示（メインメニュー）させて、ユーザによる番組選択・再生操作に基づいて、操作スイッチ１９或いはリモコン受光部２０から再生指令が主制御部１１に送信されたときに、主制御部１１が再生処理のための制御手順を実行する。これにより、ＤＶＤ−Ｒに記録されたコンテンツ情報が主制御部１１により読み出され、ＴＶモニタに再生映像が表示される。
【００２３】
ここで、本実施形態に係るＤＶＤレコーダ１００では、少なくとも、ＤＶＤビデオフォーマットでＤＶＤ−Ｒにコンテンツ情報を記録するとともに、ＤＶＤビデオフォーマットでコンテンツ情報を記録されたＤＶＤ−Ｒを再生することが可能となっている。
【００２４】
また、コンテンツ情報に関連付けて記録されたタイトル情報を編集することもできる（タイトル情報編集手段）。具体的には、タイトル情報がリスト形式で表示されるメインメニューにおいて、ユーザによる番組選択・タイトル編集操作に基づいて、主制御部１１がタイトル編集処理のための制御を実行する。
【００２５】
例えば、ＴＶモニタの画面にフォントデータの一覧表（英数記号、平仮名、片仮名等）を表示させ、所望の文字を選択することでタイトル情報として入力することができる。このとき、平仮名、片仮名で入力された文字は、漢字変換することもできる。
【００２６】
以下に、タイトル情報の編集について詳細に説明する。
【００２７】
図２は、タイトル情報編集画面の一表示例であり、英数字・記号を入力するときの画面である。図２に示すように、編集画面は、入力されるタイトル情報欄Ｔと、入力可能な文字が配列されたフォントデータ領域ＦＡと、確定ボタンや変換ボタン等の入力支援ボタンＳＢと、で構成される。
【００２８】
また、フォントデータ領域ＦＡには、予めフォント用メモリ１７に格納されているフォントデータ（第１のフォントデータ）と、ユーザにより新規に作成されたフォントデータ（第２のフォントデータ）と、が含まれる。本実施形態では、１０個のフォントデータをユーザにより新規に登録可能となっている。なお、図２（ａ）ではユーザによるフォントデータの作成が行われていないので、１０個のユーザ登録領域はすべて空白となっている。
【００２９】
ユーザはフォントデータ領域ＦＡにおいて、リモコン装置２１に配置された上下左右方向のカーソルキーを用いて所望の文字にカーソルＣＬを移動させ、リモコン装置２１に配置された決定キーを操作することで、カーソルで指示された文字を入力することができる。例えば、「Ａ」「Ｂ」「Ｃ」の文字が順次選択され決定されると、図２（ａ）に示すようにタイトル情報欄Ｔに「ＡＢＣ」が表示される。
【００３０】
一方、このタイトル情報編集画面において、カーソルＣＬをユーザ登録ボタンに移動させて決定ボタンを操作すると、図３（ａ）に示すフォントデータ作成画面が表示され、ユーザが独自のフォントデータを作成することができる（フォントデータ作成手段）。本実施形態では、１文字のフォントデータは２４×１６ピクセルで構成され、この領域内でフォント形状が表現される。これは、予めフォント用メモリ１７に格納されているフォントデータも同様である。また、フォントデータ作成領域の周縁部（編み目部分）はフォントデータが隣接して配置されたときに、境界が明確となるように反転（塗りつぶし）不可となっている。なお、作成されるフォントデータは、フォント形状を表すための黒地の部分を「１」、白地の部分を「０」としてフォント用メモリに記録される。すなわち、１×１ピクセルからなるドットを１ビットのデータとし、全体として４８バイト（＝２４×１６／８ビット）のデータとなる。
【００３１】
このフォントデータ作成画面において、リモコン装置２１のカーソルキーを用いて所望のドットにカーソルＣを移動させ、リモコン装置２１に配置された決定キーを操作することで当該ドットを反転させる。ここで、図３に示すように、フォント作成画面におけるカーソルは２×２ピクセルで構成されており、１×１ピクセルのドットを単独で反転させることはできないようになっている。これは、独立して１×１ピクセルのドットが黒塗りされていると、このフォントデータをインターレース方式のＴＶモニタで表示した場合にちらつき等の不具合が生じてしまうためである。
【００３２】
上述した作業を繰り返すことで、反転されて黒塗りとなったドットでフォント形状が表現されることとなる。図３（ｂ）には、８分音符のフォントを作成したときのフォントデータ作成画面を示している。このようにしてフォントデータを作成した後は、カーソルＣを登録ボタンに移動させて決定することでフォント作成が終了される。
【００３３】
すると、ＴＶモニタの画面は図２（ｂ）に示すタイトル情報編集画面に戻る。図２（ｂ）のように、新規にフォントデータが作成されると、ユーザ登録領域の一つに当該フォントデータ（８分音符）が表示される。なお、新規に作成されたフォントデータには、例えばアスキーコードの未使用領域（０ｘ８０〜）が文字コードとして割り当てられ、この文字コードと関連付けて４８バイトのフォントデータがフォント用メモリ１７に格納されることとなる。
【００３４】
そして、タイトル情報として、新規に作成したフォントデータを入力したい場合は、上述したと同様に、リモコン装置２１のカーソルキーを用いて所望の文字（８分音符）にカーソルＣＬを移動させ、リモコン装置２１に配置された決定キーを操作することでカーソルで指示された文字を入力することができる（図２（ｂ）参照）。
【００３５】
その後、タイトル情報を構成する全ての文字の入力を終えて、入力支援ボタンＳＢの「メインメニュー」が選択・決定されることでタイトル情報が確定され、メインメニューの画面に戻る。このとき、主制御部１１は、確定されたタイトル情報の記録を指示することで、そのタイトル情報のデータを対応するコンテンツ情報に関連付けてＤＶＤ−Ｒに記録する。
【００３６】
このとき、ＤＶＤ−Ｒに記録されるタイトル情報は、文字コードでもよいし、フォントデータ自体（ビットマップデータ）でもよい。ただし、文字コードで記録した場合は、新規に作成されたフォントデータは当該ＤＶＤレコーダでしか正常に再現することができないので、フォントデータで記録するのが望ましい。なお、ＤＶＤビデオフォーマットで記録する場合は、ファイナライズによりタイトル情報全体が画像データ（ビットマップデータ）として記録されるので、ファイナライズする前の中間の記録状態は特に制限されない。
【００３７】
上述したように、本実施形態に係るＤＶＤレコーダ１００によれば、予めフォント用メモリ１７に記録されている第１のフォントデータの他に、新たに第２のフォントデータをフォントデータ作成画面で作成する等して追加することができ、この第２のフォントデータをタイトル情報の編集に使用できるので、ユーザは所望のフォントデータにより自由にタイトル情報を編集することができる。したがって、タイトル情報の表示形態が豊富になる上、編集されたタイトル情報はユーザ独自のものとなるので、タイトル編集に対する興趣を向上させることができ、タイトル情報の編集機能が一層有効に利用されるようになる。
【００３８】
以上、本発明者によってなされた発明を実施形態に基づいて具体的に説明したが、本発明は上記実施形態に限定されるものではなく、その要旨を逸脱しない範囲で変更可能である。
【００３９】
例えば、上記実施形態では、フォントデータ作成画面において２×２ピクセルのカーソルを用いて、該カーソルに指示されたドットを反転させてフォントデータを作成するようにしているが、公知のビットマップデータの描画ソフトと同等の機能を備えるようにしてもよい。これにより、複雑なフォントデータも比較的簡単に作成することができる。また、上記実施形態におけるタイトル編集画面やフォントデータ作成画面は一例であり、画面表示形態はこれに制限されないことはいうまでもない。
【００４０】
また、上記実施形態では２４×１６ピクセルで構成されるフォントデータを一つずつ作成するようにしているが、フォントデータ領域を連結させることで、一つの大きなフォントデータを作成できるようにしてもよい。この場合は、連結部分の縦１ピクセル領域も反転して塗りつぶし可能とする。そして、フォント用メモリに記録する際は、作成されたフォントデータ全部を一つのフォントとして記録してもよいし、２４×１６ピクセルごとに分割して他のフォントデータと同様の形態で記録してもよい。これにより、ユーザは大きさに制限されない独自のフォントデータを作成することもできるので、タイトル情報の表示形態がいっそう豊富になる。
【００４１】
さらに、フォントデータ作成画面においてユーザにより作成されたフォントデータをフォント用メモリに記録するのではなく、複数種類の特別なフォントデータを記録した記録媒体（例えば光ディスク）から所望の文字に対応するフォントデータを読み出してフォント用メモリに記録するようにしてもよい。また、追加されたフォントデータは、コンテンツ情報に関連付けられたタイトル情報の編集だけでなく、ユーザが入力可能な番組に関する情報（例えば番組内容の説明欄等）を編集する場合にも利用することもできる。
【００４２】
また、ＤＶＤレコーダ１００に限られるものではなく、例えばハードディスクを内蔵したハイブリッド型のＨＤＤ／ＤＶＤレコーダやビデオテープレコーダ等のコンテンツ情報に関連付けてタイトル情報を記録可能な情報記録再生装置に適用することができる。
【図面の簡単な説明】
【００４３】
【図１】本発明に係る情報録画再生装置の適例としてのＤＶＤレコーダのブロック図である。
【図２】タイトル情報編集画面の一表示例であり、英数字・記号を入力するときの画面である。
【図３】フォントデータ作成画面の一表示例である。
【符号の説明】
【００４４】
１１    主制御部
１１１  ＣＰＵ
１１２  ＲＡＭ
１１３  ＲＯＭ
１２    チューナ
１３    Ａ／Ｄ変換器
１４    圧縮処理部
１５    伸張処理部
１６    副制御部
１７    フォント用メモリ
１８    Ｄ／Ａ変換器
１９    操作スイッチ
２０    リモコン受光部
２１    リモコン
２２    表示部
２３    ＤＶＤドライブ
３１    アンテナ
１００  ＤＶＤレコーダ
【図１】
2006115225.tif 000003
【図２】
2006115225.tif 000004
【図３】
2006115225.tif 000005